【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  配列番号１の少なくとも１つの鎖の部分の少なくとも２０個の存続する核酸残基から成る配列を有する単離ポリヌクレオチドであって、部分が配列番号１の残基１〜４２３、残基８７１〜４３４３、残基４３６５〜４４１９、残基４４５１〜４４７３、残基５４１４〜６９１７、残基６９３９および７６３３および残基７８０６〜８５２０から成る群から選択される上記単離ポリヌクレオチド。
【請求項２】 ポリヌクレオチドが核酸ベクターに組み込まれている、請求項１に記載のポリヌクレオチド。
【請求項３】 ポリヌクレオチドが検出可能に標識されている、請求項１に記載のポリヌクレオチド。
【請求項４】  検出可能に標識されたポリヌクレオチドが、固定化ポリヌクレオチド、タンパク質−リガンド対のタンパク質に連結したポリヌクレオチド、タンパク質−リガンド対のリガンドに連結したポリヌクレオチド、ビオチン化ポリヌクレオチド、酵素に連結したポリヌクレオチドおよび放射性−標識ポリヌクレオチドから成る群から選択される、請求項３に記載のポリヌクレオチド。
【請求項５】  検出可能に標識されたポリヌクレオチドが、遺伝子チップの表面上に固定化されている固定化ポリヌクレオチドである、請求項４に記載のポリヌクレオチド。
【請求項６】 ポリヌクレオチドが実質的に精製されている、請求項１に記載のポリヌクレオチド。
【請求項７】 ポリヌクレオチドの少なくとも２個のヌクレオチド残基が、自然に存在しない結合により連結されている、請求項１に記載のポリヌクレオチド。
【請求項８】  自然に存在しない結合が、ホスホネート、ホスホロチオエート、ホスホロジチオエート、ホスホロアミデートメトキシエチルホスホロアミデート、ホルムアセタール、チオホルムアセタール、ジイソプロピルシリル、アセトアミデート、カルバメート、ジメチレンースルフィド（−ＣＨ2−Ｓ−ＣＨ2）、ジメチレン−スルホキシド（−ＣＨ2−ＳＯ−ＣＨ2）、ジメチレン−スルホン（−ＣＨ2−ＳＯ2−ＣＨ2）、２’−Ｏ−アルキルおよび２’−デオキシ−２’−フルオロホスホロチオエート、ホスホロトリエステル、シロキサン、カルボネート、カルボキシメチルエステル、アセトアミデート、チオエーテル、架橋ホスホロアミデート、架橋メチレンホスホネート、架橋ホスホロアミデート、架橋ホスホロアミデート、架橋メチレンホスホネート、ホスホロチオエート、メチルホスホネート、ホスホロジチオエート、架橋ホスホロチオエート結合および架橋スルホン結合から成る群から選択される、請求項７に記載のポリヌクレオチド。
【請求項９】 ポリヌクレオチドの末端が核酸分解的に遮断されている、請求項１に記載のポリヌクレオチド。
【請求項１０】  配列番号１の少なくとも１つの鎖の部分に実質的に相同的である配列を有する単離ポリヌクレオチドであって、部分が配列番号１の残基１〜４２３、残基８７１〜４３４３、残基４３６５〜４４１９、残基４４５１〜４４７３、残基５４１４〜６９１７、残基６９３９および７６３３および残基７８０６〜８５２０から成る群から選択されるヌクレオチド残基を含む上記単離ポリヌクレオチド。
【請求項１１】  ポリヌクレオチドが核酸ベクターに組み込まれている、請求項１０に記載のポリヌクレオチド。
【請求項１２】  ポリヌクレオチドが検出可能に標識されている、請求項１０に記載のポリヌクレオチド。
【請求項１３】  検出可能に標識されたポリヌクレオチドが、固定化ポリヌクレオチド、タンパク質−リガンド対のタンパク質に連結したポリヌクレオチド、タンパク質−リガンド対のリガンドに連結したポリヌクレオチド、ビオチン化ポリヌクレオチド、酵素に連結したポリヌクレオチドおよび放射性−標識ポリヌクレオチドから成る群から選択される、請求項１２に記載のポリヌクレオチド。
【請求項１４】  検出可能に標識されたポリヌクレオチドが、遺伝子チップの表面上に固定化されている固定化ポリヌクレオチドである、請求項１３に記載のポリヌクレオチド。
【請求項１５】  ポリヌクレオチドが実質的に精製されている、請求項１０に記載のポリヌクレオチド。
【請求項１６】  ポリヌクレオチドの少なくとも２個のヌクレオチド残基が、自然には存在しない結合により連結されている、請求項１０に記載のポリヌクレオチド。
【請求項１７】  自然に存在しない結合が、ホスホネート、ホスホロチオエート、ホスホロジチオエート、ホスホロアミデートメトキシエチルホスホロアミデート、ホルムアセタール、チオホルムアセタール、ジイソプロピルシリル、アセトアミデート、カルバメート、ジメチレンースルフィド（−ＣＨ2−Ｓ−ＣＨ2）、ジメチレン−スルホキシド（−ＣＨ2−ＳＯ−ＣＨ2）、ジメチレン−スルホン（−ＣＨ2−ＳＯ2−ＣＨ2）、２’−Ｏ−アルキルおよび２’−デオキシ−２’−フルオロホスホロチオエート、ホスホロトリエステル、シロキサン、カルボネート、カルボキシメチルエステル、アセトアミデート、チオエーテル、架橋ホスホロアミデート、架橋メチレンホスホネート、架橋ホスホロアミデート、架橋ホスホロアミデート、架橋メチレンホスホネート、ホスホロチオエート、メチルホスホネート、ホスホロジチオエート、架橋ホスホロチオエート結合および架橋スルホン結合から成る群から選択される、請求項１６に記載のポリヌクレオチド。
【請求項１８】  ポリヌクレオチドの末端が核酸分解的に遮断されている、請求項１０に記載のポリヌクレオチド。
【請求項１９】  配列番号１の残基１１２〜４５６、残基１７０７〜２２５１０および残基４９１２〜５５５０から成る群から選択される配列番号１の少なくとも１つの鎖の部分の少なくとも３２個の核酸残基に実質的に相同的である配列を有する単離ポリヌクレオチド。
【請求項２０】  ポリヌクレオチドが配列番号３の鎖のヌクレオチド配列を有する部分を含んで成る、請求項１９に記載のポリヌクレオチド。
【請求項２１】  ポリヌクレオチドがさらにプロモーターを含んで成る、請求項１９に記載のポリヌクレオチド。
【請求項２２】  プロモーターが構成的プロモーターである、請求項１９に記載のポリヌクレオチド。
【請求項２３】  プロモーターが誘導性プロモーターである、請求項１９に記載のポリヌクレオチド。
【請求項２４】  プロモーターが組織−特異的プロモーターである、請求項１９に記載のポリヌクレオチド。
【請求項２５】  ポリヌクレオチドが核酸ベクター中に組み込まれている、請求項１９に記載のポリヌクレオチド。
【請求項２６】 配列番号１の少なくとも１つの鎖の少なくとも２０個の連続するヌクレオチド残基に実質的に相同的である部分を含んで成る単離ポリヌクレオチド、および医薬キャリアーを含んで成る医薬組成物。
【請求項２７】 ポリヌクレオチドが、配列番号３の少なくとも２０個の連続するヌクレオチドと実質的に相同的または実質的に相補的であるヌクレオチド配列を有する、請求項２６に記載の組成物。
【請求項２８】 ポリヌクレオチドが配列番号１の少なくとも１つの鎖の部分の少なくとも３２個の連続する核酸残基から成る配列を有し、ここで部分が配列番号１の残基１〜４２３、残基８７１〜４３４３、残基４３６５〜４４１９、残基４４５１〜４４７３、残基５４１４〜６９１７、残基６３３９〜７６３３、残基７８０６〜８５２０から成る群から選択される、請求項２６に記載の組成物。
【請求項２９】  配列番号１の少なくとも１つの鎖に完全に相同的な配列を有する、請求項１に記載のポリヌクレオチド。
【請求項３０】 配列番号１の少なくとも１つの鎖の少なくとも５００個の連続する核酸残基に実質的に相同的である核酸配列を有する、請求項１に記載のポリヌクレオチド。
【請求項３１】  ヒトＦＥＺ１遺伝子の部分を増幅するためのキットであって、第１単離ポリヌクレオチドおよび第２単離ポリヌクレオチドを含んで成り、ここで第１ポリヌクレオチドは配列番号１の少なくとも１つの鎖の第１部分と実質的に相同的な配列を有し、そして第２ポリヌクレオチドは配列番号１の少なくとも１つの鎖の第２部分と実質的に相同的である配列を有し、ここで第１および第２部分の少なくとも１つか配列番号１の残基１〜４２３、残基８７１〜４３４３、残基４３６５〜４４１９、残基４４５１〜４４７３、残基５４１４〜６９１７、残基６９３９〜７６３３および残基７８０６〜８５２０から成る群から選択されるヌクレオチド残基を含む上記キット。
【請求項３２】  ガンに罹患しているヒトに投与するための抗−ガン治療化合物を選択するためのキットであって、複数の候補抗−ガン治療化合物および細胞中のＦＥＺ１発現を評価するための試薬を含んで成る上記キット。
【請求項３３】  配列番号１の鎖の少なくとも２０個の連続するヌクレオチド残基と実質的に相同的である配列を有する外来ＤＮＡ分子を含んで成る動物細胞。
【請求項３４】    外来ＤＮＡ分子が、前記部分と操作可能に連結したプロモーターをさらに含んで成り、それにより外来ＤＮＡ分子が動物細胞中で発現される、請求項３３に記載の動物細胞。
【請求項３５】  遺伝的に改変された動物であって、外来ＤＮＡ分子が人工的に導入された細胞を含んで成り、この外来ＤＮＡ分子がヒトＦＥＺ１遺伝子の鎖の少なくともコード領域と実質的に相同的な部分を有する、上記動物。
【請求項３６】  外来ＤＮＡ分子が配列番号１の鎖の少なくともヌクレオチド残基  １１２〜４５６、ヌクレオチド残基１７０７〜２５１０およびヌクレオチド残基４９１２〜５５５０と実質的に相同的な部分を有する、請求項３５に記載の遺伝的に改変された動物。
【請求項３７】  外来ＤＮＡ分子が配列番号２の鎖と実質的に相同的な配列を有する部分を含んで成る、請求項３６に記載の遺伝的に改変された動物。
【請求項３８】  単離されたヒトＦＥＺ１タンパク質。
【請求項３９】  タンパク質が配列番号４と実質的に相同的なアミノ酸配列を有する、請求項３８に記載の単離されたヒトＦＥＺ１タンパク質。
【請求項４０】  タンパク質が配列番号４と完全に相同的なアミノ酸配列を有する、請求項３８に記載の単離されたヒトＦＥＺ１タンパク質。
【請求項４１】  タンパク質が実質的に精製されている、請求項３８に記載の単離されたヒトＦＥＺ１タンパク質。
【請求項４２】  ヒトＦＥＺ１タンパク質と特異的に結合する単離された抗体。
【請求項４３】  ヒトＦＥＺ１タンパク質と特異的に結合する抗体を生産するハイブリドーマ細胞。
【請求項４４】  サンプル組織のガン状態の決定法であって、サンプル組織中のＦＥＺ１発現を同じ種類の対照組織中のＦＥＺ１発現と比較することを含んで成り、これにより対照組織中のＦＥＺ１発現に対するサンプル組織中のＦＥＺ１発現の減少をサンプル組織がガンであることの指標とする上記方法。
【請求項４５】  サンプル組織がヒトの体組織の表現型的に異常な部分であり、そして対照組織が体組織の表現型的に正常な部分である、請求項４４に記載の方法。
【請求項４６】  体組織が上皮組織である、請求項４５に記載の方法。
【請求項４７】  体組織が胃腸管組織、食道組織、胃組織、結腸組織、前立腺組織、胸部組織、造血組織、肺組織、黒色腫組織、頸管組織および卵巣組織から成る群から選択される、請求項４５に記載の方法。
【請求項４８】  サンプル組織中および対照組織中の指標の相対的量を比較することにより、サンプル組織中のＦＥＺ１発現を対照組織中のＦＥＺ１発現と比較し、指標がＦＥＺ１ｍＲＮＡ、ＦＥＺ１ｍＲＮＡを使用して調製したｃＤＮＡ、これらのいずれかの増幅により調製したＤＮＡおよびＦＥＺ１タンパク質から成る群から選択される、請求項４４に記載の方法。
【請求項４９】  サンプル組織のガン状態を決定する方法であって、
サンプル組織から得たＦＥＺ１−会合ポリヌクレオチドのヌクレオチド配列、および
対照ＦＥＺ１−会合ポリヌクレオチドのヌクレオチド配列
を比較することを含んで成り、これによりサンプル組織から得たＦＥＺ１−会合ポリヌクレオチドのヌクレオチド配列と対照ＦＥＺ１−会合ポリヌクレオチドのヌクレオチド配列間の差異をサンプル組織がガンであることの指標とする上記方法。
【請求項５０】  ヒトのサンプル組織のガン状態を決定する方法であって、サンプル組織から得たＦＥＺ１−転写物−会合ポリヌクレオチドの長さを、対照ＦＥＺ１−転写物−会合ポリヌクレオチドの長さと比較することを含んで成り、これによりサンプル組織から得たＦＥＺ１−転写物−会合ポリヌクレオチドの長さが対照ＦＥＺ１−転写物−会合ポリヌクレオチドの長さよりも短いならば、これをサンプル組織がガンであることの指標とする上記方法。
【請求項５１】  サンプル組織のガン状態を決定する方法であって、サンプル組織中のＦＥＺ１発現を評価することを含んで成り、これによりサンプル組織中にＦＥＺ１発現の実質的な不存在をサンプル組織がガンであることの指標とする上記方法。
【請求項５２】  ＦＥＺ１発現が、ＦＥＺ１ｍＲＮＡ、ＦＥＺ１ｍＲＮＡを使用して調製したｃＤＮＡ、これらのいずれかの増幅により調製されたＤＮＡ、およびＦＥＺ１タンパク質から成る群から選択される指標の存在または実質的な不存在の評価により評価される、請求項５１に記載の方法。
【請求項５３】  サンプル組織のガン状態を決定する方法であって、サンプル組織中のＦＥＺ１転写物の異常なスプライシングを検出することを含んで成り、これによりＦＥＺ１転写物の異常なスプライシングをサンプル組織がガンであることの指標とする上記方法。
【請求項５４】  ＦＥＺ１転写物の異常なスプライシングが、エキソン境界ポリヌクレオチドプローブがＦＥＺ１−転写物−会合ポリヌクレオチドと高緊縮でアニーリングすることができる能力を評価することにより検出され、ここでエキソン境界ポリヌクレオチドプローブは末端部分が隣接する時に２つの連続するＦＥＺ１エキソンの末端部分に高緊縮でアニーリングすることができるが、末端部分が隣接しない時にはできない、請求項５３に記載の方法。
【請求項５５】  改変したＦＥＺ１遺伝子を有するヒト細胞の異常な増幅をモジュレートするための薬剤を作成するための外来起源のＦＥＺ１タンパク質の使用であって、薬剤が細胞に提供された時、細胞の異常な増殖が抑制され、遅らされ、または防げられる上記使用。
【請求項５６】  外来起源のＦＥＺ１タンパク質が単離されたヒトＦＥＺ１タンパク質を含んで成る組成物である、請求項５５に記載の使用。
【請求項５７】  ヒトＦＥＺ１タンパク質が配列番号４のアミノ酸配列を有する、請求項５６に記載の使用。
【請求項５８】  外来起源のＦＥＺ１タンパク質が、機能的ＦＥＺ１タンパク質をコードするコード領域を有するポリヌクレオチドを含んで成る発現ベクターを含んで成り、これによりポリヌクレオチド細胞中で発現される、請求項５５に記載の使用。
【請求項５９】  ポリヌクレオチドがヒトヒトＦＥＺ１遺伝子を含んで成る、請求項５８に記載の使用。
【請求項６０】  コード領域が配列番号３の鎖のヌクレオチド配列を有する部分を含んで成る、請求項５８に記載の使用。
【請求項６１】  ポリヌクレオチドがコード領域に操作可能に連結された構成的プロモーターをさらに含んで成る、請求項５５に記載の使用。
【請求項６２】  ポリヌクレオチドがコード領域に操作可能に連結された誘導性プロモーターをさらに含んで成り、この方法がさらに誘導性プロモーターのインデューサーを細胞に投与することを含んで成る、請求項５５に記載の使用。
【請求項６３】  ポリヌクレオチドがコード領域に操作可能に連結された組織−特異的プロモーターをさらに含んで成る、請求項５５に記載の使用。
【請求項６４】  ポリヌクレオチドが野生型ＦＥＺ１プロモーター領域をさらに含んで成る、請求項５５に記載の使用。
【請求項６５】  ベクターが細胞に提供された時、細胞中の腫瘍形成が抑制される、ヒトの細胞中の腫瘍形成を抑制するための薬剤を作成するために、機能的ＦＥＺ１タンパク質をコードするコード領域を有するポリヌクレオチドを含んで成る発現ベクターの使用。
【請求項６６】  インヒビターが細胞内部に提供された時、細胞の増殖が誘導される、細胞の増殖を逆に誘導するための薬剤を作成するための、ＦＥＺ１発現のインヒビターの使用。
【請求項６７】  インヒビターが、ヒトＦＥＺ１遺伝子の鎖の少なくとも２０個の連続するヌクレオチド残基と高緊縮でアニーリングする部分を含んで成る単離ポリヌクレオチドである、請求項６６に記載の使用。
【請求項６８】  単離ポリヌクレオチドが、単離ポリヌクレオチドに操作可能に連結されたプロモーターを含んで成る遺伝子ベクターを細胞に投与することにより細胞内部に送達される、請求項６７に記載の使用。
【請求項６９】  細胞が動物の体内に位置する、請求項６６に記載の使用。
【請求項７０】  細胞がヒトである、請求項６９に記載の使用。
【請求項７１】  試験化合物が細胞増殖のインデューサーであるかどうかを決定する方法であって、試験化合物の存在下で機能的ＦＥＺ１遺伝子を含んで成る細胞をインキューベーションし、そして細胞中のＦＥＺ１発現を評価することを含んで成り、これにより細胞中のＦＥＺ１発現が試験化合物の不存在下でインキューベーションした同じ種類の細胞中のＦＥＺ１発現と比べて減少している場合、試験化合物が細胞増殖のインデューサーであるとする上記方法。
【請求項７２】  試験化合物が改変したＦＥＺ１遺伝子を有する細胞の異常な増殖を遅らせるために効果的であるかどうかを決定する方法であって、試験化合物の存在下で細胞をインキューベーションし、そして細胞中のＦＥＺ１発現を評価することを含んで成り、これにより細胞中のＦＥＺ１発現が試験化合物の不存在下でインキューベーションした同じ種類の細胞中のＦＥＺ１発現と比べて増加している場合、試験化合物は細胞の異常な増殖を遅らせるために効果的であるとする上記方法。
【請求項７３】  ＦＥＺ１タンパク質が試験ヌクレオチド配列を有するポリヌクレオチドに結合するかどうかを決定する方法であって、
ＦＥＺ１タンパク質および試験ヌクレオチド配列を有する試験ポリヌクレオチドを接触させ、ここで少なくとも１つのＦＥＺ１タンパク質および試験ポリヌクレオチドは検出可能に標識されており、そして
その後に検出可能に標識されたＦＥＺ１−ポリヌクレオチド複合体が形成されるかどうかを評価し、これにより複合体の形成はＦＥＺ１タンパク質が試験ポリヌクレオチド配列を有するポリヌクレオチドに結合する指標とする上記方法。
【請求項７４】  細胞増殖のインデューサーを同定する方法であって、
ＦＥＺ１タンパク質およびＦＥＺ１タンパク質が結合するポリヌクレオチドを試験化合物の存在および不存在下で接触させ、そして
ＦＥＺ１−ポリヌクレオチド複合体の形成を評価し、これにより試験化合物の存在下での複合体の形成が、試験化合物の不存在下でのＦＥＺ１−ポリヌクレオチド複合体の形成に対して減少しているならば、試験化合物が細胞増殖のインデューサーであることの指標とする上記方法。
【請求項７５】  細胞が増殖することを誘導する方法であって、細胞中のＦＥＺ１発現を抑制することを含んで成り、これにより細胞の増殖を誘導する上記方法。
【請求項７６】  細胞がヒトから取り出される、請求項７５に記載の方法。
【請求項７７】  細胞中のＦＥＺ１の発現が、ヒトＦＥＺ１遺伝子の鎖の少なくとも２０個の連続するヌクレオチド残基と高緊縮でアニーリングする部分を含んで成る単離ポリヌクレオチドを細胞の内部に提供することにより抑制される、請求項７５に記載の方法。
【請求項７８】  薬剤がヒトに投与された時、ヒトにおいて腫瘍形成が抑制される、ヒトにおける腫瘍形成を抑制するための薬剤を作成するための、ＦＥＺ１遺伝子発現のインデューサー、ＦＥＺ１遺伝子発現のエンハンサー、ＦＥＺ１リン酸化のインヒビター、リン酸化−ＦＥＺ１脱リン酸化のエンハンサー、ＦＥＺ１とＥＦ１−γとの結合を阻害する作用物質およびＦＥＺ１とチューブリンとの結合を阻害する作用物質から成る群から選択される化合物の使用。
【請求項７９】  強化されたヒト細胞の培養技法であって、既知のヒト細胞培養技法に従いヒトの細胞をインキューベーションし、そして細胞中のＦＥＺ１発現を抑制することを含んで成る上記方法。
【請求項８０】  サンプル組織中のＦＥＺ１発現を検出する方法であって、
ヒトＦＥＺ１タンパク質に特異的に結合する単離抗体を標識し、そして単離抗体の調製物をサンプル組織と接触させ、
その後に組織サンプルをすすぎ、これにより非−特異的に結合した抗体を組織サンプルからすすぎ、そして
組織サンプル中の標識抗体の存在を評価し、これにより組織サンプルの標識抗体の存在を組織サンプル中でＦＥＺ１が発現された指標とする上記方法。
【請求項８１】  試験化合物が異常型のチューブリン重合に関連する障害を寛解するために有用であるかどうかを決定するための方法であって、
チューブリン、ＦＥＺ１および試験化合物を含んで成る第１アッセイ混合物中のチューブリン重合と、
チューブリンおよびＦＥＺ１を含んで成るが試験化合物は含まない第２アッセイ混合物中のチューブリン重合を比較することを含んで成り、
ここで第１および第２アッセイ混合物中のチューブリン重合間の差異を試験化合物が障害の寛解に有用であることの指標とする上記方法。
【請求項８２】  障害がチューブリン過重合障害である、請求項８１に記載の方法。
【請求項８３】  障害がチューブリン低重合障害である、請求項８１に記載の方法。
【請求項８４】  障害が有糸分裂の異常な開始に関連する障害、有糸分裂の速度および段階の異常なモジュレーションに関連する障害、細胞増殖の開始および速度の異常なモジュレーションに関連する障害、細胞成長の開始および速度の異常なモジュレーションに関連する障害、細胞形状の異常なモジュレーションに関連する障害、細胞の硬度の異常なモジュレーションに関連する障害、細胞運動の異常なモジュレーションに関連する障害、細胞性ＤＮＡ複製速度の異常なモジュレーションに関連する障害、細胞性ＤＮＡの複製段階の異常なモジュレーションに関連する障害、オルガネラの細胞内分布の異常なモジュレーションに関連する障害、細胞の転移能力の異常なモジュレーションに関連する障害および非ガン性からガン性の表現型への細胞の形質転換の異常なモジュレーションに関連する障害から成る群から選択される、請求項８１に記載の方法。
【請求項８５】  障害が腫瘍形成、腫瘍生存、腫瘍成長および腫瘍転移から成る群から選択される、請求項８１に記載の方法。
【請求項８６】  差異が第１および第２アッセイ混合物間のチューブリン重合の速度の差異である、請求項８１に記載の方法。
【請求項８７】  差異が第１および第２アッセイ混合物間のチューブリン重合の程度の差異である、請求項８１に記載の方法。
【請求項８８】  試験化合物が、ＦＥＺ１のフラグメント、ＦＥＺ１のフラグメントのペプチド模造物、チューブリンのフラグメント、チューブリンのフラグメントのペプチド模造物、ＥＦ１−のγのフラグメントおよびＥＦ１−γのフラグメントのペプチド模造物から成る群から選択される、請求項８１に記載の方法。
【請求項８９】  第１および第２アッセイ混合物が実質的に同一であるが、試験化合物の存在または不存在については同一ではない、請求項８１に記載の方法。
【請求項９０】  試験化合物がＦＥＺ１の異常型のリン酸化に関連する障害を寛解するために有用であるかどうかを決定する方法であって、
ＦＥＺ１、少なくとも１つのキナーゼ、ホスフェート供給源および試験化合物を含んで成る第１アッセイ混合物中のＦＥＺ１のリン酸化と、
ＦＥＺ１、キナーゼおよびホスフェート供給源含んで成るが試験化合物は含まない第２アッセイ混合物中のＦＥＺ１のリン酸化とを比較することを含んで成り、
ここで第１および第２アッセイ混合物間のＦＥＺ１のリン酸化の差異を試験化合物が障害の寛解に有用であることの指標とする上記方法。
【請求項９１】  障害が腫瘍形成、腫瘍生存、腫瘍成長および腫瘍転移から成る群から選択される、請求項９０に記載の方法。
【請求項９２】  試験化合物がＦＥＺ１の異常型のリン酸化に関連する障害を寛解するために有用であるかどうかを決定する方法であって、
リン酸化ＦＥＺ１、少なくとも１つのホスファターゼおよび試験化合物を含んで成る第１アッセイ混合物中のＦＥＺ１のリン酸化と、
リン酸化ＦＥＺ１およびホスファターゼを含んで成るが試験化合物は含まない第２アッセイ混合物中のＦＥＺ１のリン酸化とを比較することを含んで成り、
ここで第１および第２アッセイ混合物間のＦＥＺ１のリン酸化の差異を試験化合物が障害の寛解に有用であることの指標とする上記方法。
【請求項９３】  試験化合物がＦＥＺ１とＦＥＺ１が正常に結合するタンパク質との異常型の結合に関連する障害を寛解するために有用であるかどうかを決定する方法であって、
ＦＥＺ１、タンパク質および試験化合物を含んで成る第１アッセイ混合物中のＦＥＺ１およびタンパク質間の結合と、
ＦＥＺ１およびタンパク質を含んで成るが試験化合物は含まない第２アッセイ混合物中のＦＥＺ１およびタンパク質間の結合とを比較することを含んで成り、
ここで第１および第２アッセイ混合物間のＦＥＺ１およびタンパク質の結合の差異を試験化合物が障害の寛解に有用であることの指標とする上記方法。
【請求項９４】  タンパク質が、チューブリンおよびＥＦ１−γから成る群から選択される、請求項９３に記載の方法。
【請求項９５】  障害が腫瘍形成、腫瘍生存、腫瘍成長および腫瘍転移から成る群から選択される、請求項９３に記載の方法。